(57)【要約】【課題】本発明は、透明ＯＬＥＤ素子を開示する。【解決手段】この透明ＯＬＥＤ素子は複数の画素を含み、各画素は有機機能層を含み、前記有機機能層の両側にそれぞれに第１透明電極と第２透明電極が設けられ、前記有機機能層の一側に、さらに面積が前記有機機能層の面積より小さい反射電極が設けられている。本発明の透明ＯＬＥＤ素子は、反射電極によりトップマイクロ発光素子と透明発光素子の組み合わせが形成されることで、本発明はそれぞれに透明ＯＬＥＤ素子の両側発光の光度を調節でき、必要に応じて両側の光度が一致し、あるいは一致しないように制御でき、透明の照明または表示分野に応用できる。【選択図】図１
2017501557.tif 000002
【特許請求の範囲】
【請求項１】
複数の画素を含み、各画素は有機機能層を含み、前記有機機能層の両側にそれぞれに第１透明電極と第２透明電極が設けられている透明ＯＬＥＤ素子であって、前記有機機能層の一側に、さらに面積が前記有機機能層の面積より小さい反射電極が設けられていることを特徴とする透明ＯＬＥＤ素子。
【請求項２】
前記反射電極が前記第１透明電極と前記有機機能層の間に配置され、前記反射電極と前記第１透明電極の間に絶縁層が設けられていることを特徴とする請求項１に記載の透明ＯＬＥＤ素子。
【請求項３】
前記反射電極の面積は前記有機機能層の面積の１０％−５０％であることを特徴とする請求項１に記載の透明ＯＬＥＤ素子。
【請求項４】
一方向に隣接する画素の間の反射電極が互いに電気的に接続され、前記反射電極が両端にある画素から引き出され、電源に接続されることを特徴とする請求項１または２に記載の透明ＯＬＥＤ素子。
【請求項５】
前記反射電極は前記第１透明電極と同じ側にあり、前記第１透明電極と並列配置され、前記反射電極と前記第１透明電極の間に隙間が形成されていることを特徴とする請求項１に記載の透明ＯＬＥＤ素子。
【請求項６】
前記隙間に絶縁材料が充填されることを特徴とする請求項５に記載の透明ＯＬＥＤ素子。
【請求項７】
前記第２透明電極は二つの部分に分かれ、その一部分が前記反射電極に対向設置し、他の部分が前記第１透明電極に対向設置することを特徴とする請求項５に記載の透明ＯＬＥＤ素子。
【請求項８】
前記第１透明電極は陽極であり、第２透明電極が陰極であり、あるいは、前記第１透明電極は陰極であり、第２透明電極が陽極であることを特徴とする請求項１に記載の透明ＯＬＥＤ素子。
【請求項９】
前記第１透明電極の可視光周波数帯での平均光透過率は５０％−９５％の範囲にあり、前記第２透明電極の可視光周波数帯での平均光透過率は５％−９５％の範囲にあることを特徴とする請求項１に記載の透明ＯＬＥＤ素子。
【請求項１０】
請求項１〜９のいずれか一項に記載の透明ＯＬＥＤ素子を含む有機発光表示装置。
【発明の詳細な説明】
【技術分野】
【０００１】
本発明は、ＯＬＥＤ（Organic Light-Emitting Diode、有機発光ダイオード）素子に関し、具体的に透明ＯＬＥＤ素子及びこの透明ＯＬＥＤ素子を採用した表示装置に関する。
【背景技術】
【０００２】
ＯＬＥＤ素子はアクティブ発光素子である。従来の主流のフラットパネルディスプレイ技術の薄膜トランジスタ液晶ディスプレイ（ＴＦＴ−ＬＣＤ）に比較して、ＯＬＥＤは高コントラスト、広視野角、低消費電力、より薄い体積などの長所があり、ＬＣＤに続いて次世代のプラットパネルディスプレイ技術になる見込みがあり、現在のフラットパネルディスプレイ技術の中に最も注目されている技術の一つである。
【０００３】
ＯＬＥＤのアクティブ発光特性により、バックライトが必要がないので、透明表示が実現できる。透明ＯＬＥＤディスプレイは、自発光できるとともにディプレイが外部光線に透過されるなどの長所を有し、未来の新型ディプレイ技術である。従来の透明ＯＬＥＤ素子は、透明導電層によりＯＬＥＤ素子の陽極及び陰極が制作されるものである。この透明ＯＬＥＤ素子は存在している問題点は、
（１）両発光面の光度が一致しないことと、
（２）両発光面の発光光度が個別に制御できないことである。
【発明の概要】
【発明が解決しようとする課題】
【０００４】
本発明が解決しようとする技術課題は、両発光面の発光が個別に制御できると共に両発光面の光度の一致性が実現できる透明ＯＬＥＤ素子及びこの透明ＯＬＥＤ素子を採用した表示装置を提供することである。
【課題を解決するための手段】
【０００５】
上記の技術的課題を解決するために、本発明は透明ＯＬＥＤ素子を提供し、この透明ＯＬＥＤ素子は複数の画素を含み、各画素は有機機能層を含み、前記有機機能層の両側にそれぞれに第１透明電極と第２透明電極が設けられ、前記有機機能層の一側に、さらに面積が前記有機機能層の面積より小さい反射電極が設けられている。
【０００６】
さらに、前記反射電極が前記第１透明電極と前記有機機能層の間に配置され、前記反射電極と前記第１透明電極の間に絶縁層が設けられている。
【０００７】
さらに、前記反射電極の面積は前記有機機能層の面積の１０％−５０％である。
【０００８】
さらに、一方向に隣接する画素の間の反射電極が互いに電気的に接続され、前記反射電極が両端にある画素から引き出され、電源に接続される。
【０００９】
さらに、前記反射電極は前記第１透明電極と同じ側にあり、前記第１透明電極と並列配置され、前記反射電極と前記第１透明電極の間に隙間が形成されている。
【００１０】
さらに、前記隙間に絶縁材料が充填される。
【００１１】
さらに、前記第２透明電極は二つの部分に分かれ、その一部分が前記反射電極に対向設置し、他の部分が前記第１透明電極に対向設置する。
【００１２】
さらに、前記第１透明電極は陽極であり、第２透明電極が陰極であり、あるいは、前記第１透明電極は陰極であり、第２透明電極が陽極である。
【００１３】
さらに、前記第１透明電極の可視光周波数帯での平均光透過率は５０％−９５％の範囲にあり、前記第２透明電極の可視光周波数帯での平均光透過率は５％−９５％の範囲にある。
【００１４】
本発明は、さらに上記の透明ＯＬＥＤ素子を含む有機発光表示装置である。
【発明の効果】
【００１５】
本発明の透明ＯＬＥＤ素子は、反射電極によりトップマイクロ発光素子と透明発光素子の組み合わせが形成されることで、本発明はそれぞれに透明ＯＬＥＤ素子の両側発光の光度を調節でき、必要に応じて両側の光度が一致し、あるいは一致しないように制御でき、透明の照明または表示分野に応用できる。
【図面の簡単な説明】
【００１６】
【図１】本発明の透明ＯＬＥＤ素子の一実施例の構造概略図である。
【図２】本発明の複数の画素が接続される平面構造概略図である。
【図３】本発明の透明ＯＬＥＤ素子のもう一つの実施例の構造概略図である。
【発明を実施するための形態】
【００１７】
以下、図面及び具体的な実施例を合わせて、当業者が本発明をよりよく理解、実施できるように本発明について更なる説明をし、挙げられた実施例が本発明に対する限定ではない。
【実施例１】
【００１８】
図１に示すように、実施例に、透明ＯＬＥＤ素子は、複数の画素を含み、各画素の大きさが制限されていないが、一般的に相応な画面使用距離の人目の最小解像度より小さい。各画素は、有機機能層５を含み、有機機構層５は従来技術の有機機能層と同じであり、正孔注入層、有機発光層及び電子注入層などを含み、ここで省略される。有機機能層５の両側に、それぞれに第１透明電極４及び第２透明電極６が設けられ、この第１透明電極４の外側に基板１が設けられている。有機機能層５の一側に反射電極２が設けられ、この反射電極２の面積が有機機能層５の面積より小さい。本実施例に、反射電極２は第１透明電極４と有機機能層５の間に設けられ、反射電極２と第１透明電極４の間に絶縁層３が設けられて、両者の短絡を防止する。
【００１９】
本発明のＯＬＥＤ素子を使用している時に、反射電極２と第２透明電極６が通電され、透明ＯＬＥＤ素子が第２透明電極６に向けて発光することが制御でき、第１透明電極４と第２透明電極６が通電され、透明ＯＬＥＤ素子の両面発光または表示ができる。また、反射電極２、第１透明電極４及び第２透明電極６が同時に通電され、違う電流または電圧をかけられると、両面発光光度の調節が実現できる。また、反射電極２が対応した有機機能層の色が第１透明電極４が対応した有機機能層の色と違うように設定されることにより、反射電極２により表示の色を調節できる。
【００２０】
本発明に、反射電極の面積は有機機能層の面積の１０％−５０％であることが好ましく、反射電極の面積が小さすぎると調節作用が顕著ではなく、反射電極の面積が大きすぎると透明ＯＬＥＤ素子の透明度が影響される。
【００２１】
本実施例の透明ＯＬＥＤ素子を制作する場合、
透明の基板１に第１透明電極４が作成され、
第１透明電極４に反射電極層が作成され、
塗布、露光、現像、エッチングなどの工程により、反射電極層の部分区域がエッチングされ、残りの部分が反射電極２を形成し、
反射電極２のエッジ位置がエッチングされて、反射電極２と第１透明電極４の接続部分が切断され、
反射電極２と第１透明電極４の間に切断された位置に絶縁材料が充填され、絶縁層３が形成され、
第１透明電極４と反射電極２に有機機能層５が蒸着され、
有機機能層５に第２透明電極６が作成され、本実施例の透明ＯＬＥＤ素子が得られる。
【００２２】
もちろん、上記は本実施例の透明ＯＬＥＤ素子の一つの好ましい方案に過ぎず、実際の制作過程はこれに限定されていない。
【００２３】
本実施例に、反射電極２は第１透明電極４と第２透明電極６の間に設置されるので、各画素の反射電極２と電源を接続するために、一方向に隣接する画素の間の反射電極２が互いに電気的に接続され、直列接続した反射電極２が両端にある画素から引き出され、電源に接続されてもいい。図２の実施例に示すように、本実施例に、縦方向に、同一列に属した各行の画素の間の反射電極２が直列接続され、一番両端の画素から引き出され、反射引出電極７が形成され、反射引出電極７が外部給電電源に接続されることにより、反射電極２に電気的エネルギーを提供する。本実施例の第１透明電極４の面積が完全に画素の有機機能層５を覆うため、反射電極のように同一列に属した各行の画素の間の第１透明電極４が直列接続された後に両端から引き出され、第１透明引出電極８が形成されてもよく、すべての第１透明電極４が電気的に接続され、四周から引き出されてもよい。
【００２４】
図３は本発明の透明ＯＬＥＤ素子のもう一つの実施例を示す。本実施例に、反射電極２が第１透明電極４と同じ側にあり、第１透明電極４と並列配置される。反射電極２と第１透明電極４の短絡を防止するために、反射電極２と第１透明電極４の間に隙間９が形成されてもいい。さらに、絶縁性能がより良くなるようにこの隙間９に絶縁材料が充填されることが好ましい。本実施例の第２透明電極６は二つの部分に分かれ、一部分が反射電極２に対向設置し、他の部分が第１透明電極４に対向設置する。絶縁を実現するために、第２透明電極６の二つの部分の間にも隙間が形成される。また、この隙間にも絶縁材料が充填されてもいい。もちろん、ほかの実施例に、第２透明電極６は一体構造で、有機機能層５に完全に覆われてもよい。
【００２５】
上記の各実施例に、第１透明電極４と第２透明電極６はそれぞれにＯＬＥＤ素子の陰極と陽極であり、その位置が入れ替わることができる。即ち、第１透明電極４が陽極で、第２透明電極６が陰極でもよく、第１透明電極４が陰極で、第２透明電極６が陽極でもよく、いずれも本発明の実施に影響しない。
【００２６】
第１透明電極４の可視光周波数帯での平均光透過率は５０％−９５％の範囲にあり、第２透明電極６の可視光周波数帯での平均光透過率は５％−９５％の範囲にある。第２透明電極６の可視光周波数帯での平均光透過率は５％−５０％の範囲にあると、ＯＬＥＤ素子の発光は大部分が第１透明電極４側から出力され、一部が第２透明電極６側から出力され、両面表示効果が形成できる。第２透明電極６の可視光周波数帯での平均光透過率は５０％−９５％の範囲にあると、ＯＬＥＤ素子の発光は両側から出力でき、透明ＯＬＥＤ素子が形成される。
【００２７】
上記の実施例は本発明で挙げられている比較的に好ましい実施例に過ぎず、本発明の保護範囲はこれに限定されていない。当業者が本発明に基づき行った同等代替または変換はいずれもれ本発明の保護範囲内に含まれている。本発明の保護範囲は、請求の範囲に基づくものである。
【図１】
2017501557.tif 000003
【図２】
2017501557.tif 000004
【図３】
2017501557.tif 000005
【国際調査報告】
2017501557.tif 000006
2017501557.tif 000007
2017501557.tif 000008
2017501557.tif 000009